(57)【要約】      （修正有）【課題】ユーザに電子デバイスへのアクセスを許可するためにトークンと電子デバイスとの間の信号を検出する方法。【解決手段】データを含む信号（１０、１０’）を放出するステップと、信号を複数のアンテナ（１８、１８’）を用いて検出するステップと、各アンテナ（１８、１８’）において検出された信号（１０、１０’）の強度を測定するステップとを含む。もしアンテナ（１８、１８’）によって検出された最大信号強度が動作しきい値より大きければ、電子デバイス（１４）は動作可能になり、ユーザ（１６）に電子デバイス（１４）へのアクセスを許可するために信号（１０、１０’）はユーザコードデータベースと比較される。ユーザ（１６）にアクセスを許可した後に、または電子デバイス（１４）へアクセスする時に発生し得る信号の何等かの変動を斟酌するために、動作しきい値を引下げることができる。【選択図】図２
2006325232.tif 000002
【特許請求の範囲】
【請求項１】
ユーザに電子デバイスへのアクセスを許可するために、トークンと電子デバイスとの間の信号を検出する方法において、
トークン（１２）及び電子デバイス（１４）の少なくとも一方からデータを含む信号（１０、１０’）を放出するステップと、
前記信号（１０、１０’）を、前記トークン（１２）及び前記電子デバイス（１４）の他方内に配置されている第１の複数のアンテナ（１８、１８’）を用いて検出するステップと、
前記第１の複数のアンテナ（１８、１８’）の各々において検出された信号（１０、１０’）の強度を、測定デバイス（２０、２０’）を用いて測定するステップと、
を含み、
前記第１の複数のアンテナ（１８、１８’）の何れかによって検出された最大信号強度を検知するステップと、前記最大信号強度が動作しきい値より大きいことに応答して電子デバイス（１４）を動作可能にするステップとを含むことを特徴とする方法。
【請求項２】
前記測定は、前記各アンテナにおける信号（１０、１０’）の強度を順次に測定するために前記第１の複数のアンテナ（１８、１８’）を走査するステップ、及び前記最大信号強度を受信しているアンテナをデフォルトアンテナとして分離するステップを含むことを更に特徴とする請求項１に記載の方法。
【請求項３】
前記デフォルトアンテナにおいて検出された信号（１０、１０’）のデータをユーザコードデータベースと比較するステップと、ユーザ（１６）に前記電子デバイス（１４）へのアクセスを許可するために前記電子デバイス（１４）を動作可能にするステップを含むことを更に特徴とする請求項２に記載の方法。
【請求項４】
前記信号（１０、１０’）の前記データが前記ユーザコードデータベース内のユーザコードと一致することに応答して、前記動作しきい値を変化させるステップを含むことを更に特徴とする請求項３に記載の方法。
【請求項５】
前記ユーザ（１６）による前記電子デバイス（１４）の操作に応答して前記動作しきい値を変化させるステップを含むことを更に特徴とする請求項４に記載の方法。
【請求項６】
前記動作しきい値を変化させるステップは、前記動作しきい値を引下げることであると更に定義されることを特徴とする請求項４に記載の方法。
【請求項７】
前記動作しきい値を変化させるステップは、キーボード（２６）及びマウス（２８）からコンピュータへの入力に応答して前記動作しきい値を引下げることであると更に定義されることを更に特徴とする請求項６に記載の方法。
【請求項８】
前記電子デバイス（１４）から前記信号（１０、１０’）を放出し、トークン（１２）によって前記信号の強度を測定し、前記最大信号強度を検知することであると更に定義されることを特徴とする請求項２に記載の方法。
【請求項９】
前記トークン（１２）から前記信号（１０、１０’）を放出し、前記電子デバイス（１４）によって前記信号の強度を測定し、前記最大信号強度を検知することであると更に定義されることを特徴とする請求項２に記載の方法。
【請求項１０】
前記第１の複数のアンテナ（１８、１８’）の一方は第１の方向に向けられ、前記第１の複数のアンテナ（１８、１８’）の他方は第２の方向に向けられており、前記第１の方向及び第２の方向の何れか一方が他の方向よりも前記信号（１０、１０’）を検出するのにより鋭敏であるように、前記第１の方向と前記第２の方向とを交差させてあることを更に特徴とする請求項２に記載の方法。
【請求項１１】
前記信号（１０、１０’）を放出するステップは、前記第２の複数のアンテナ（１９、１９’）から前記信号（１０、１０’）を放出することであると更に定義されることを特徴とする請求項２に記載の方法。
【請求項１２】
前記第２の複数のアンテナ（１９、１９’）から前記信号（１０、１０’）を放出するステップは、前記信号（１０、１０’）を前記第２の複数のアンテナ（１９、１９’）の一方から、次いで前記第２の複数のアンテナ（１９、１９’）の他方から交互に放出することであると更に定義されることを特徴とする請求項１１に記載の方法。
【請求項１３】
前記第２の複数のアンテナ（１９、１９’）から放出された各信号（１０、１０’）を順次に検出するステップと、前記第１の複数のアンテナ（１８、１８’）を用いて前記順次信号（１０、１０’）の強度を測定するステップを含むことを特徴とする請求項１２に記載の方法。
【請求項１４】
ユーザに電子デバイスへのアクセスを許可するために、トークンと電子デバイスとの間の信号を検出する方法において、
信号（１０、１０’）を放出するステップと、
少なくとも１つのアンテナを用いて前記信号（１０、１０’）を検出するステップと、
前記アンテナによって検出された前記信号（１０、１０’）の強度を測定するステップと、
前記信号（１０、１０’）の強度を動作しきい値と比較するステップと、
前記信号強度が前記動作しきい値より大きいことに応答して電子デバイス（１４）を動作可能にするステップと、
を含み、
ユーザ（１６）が前記電子デバイス（１４）を操作することに応答して前記動作しきい値を変化させるステップを含むことを特徴とする方法。
【請求項１５】
前記動作しきい値を変化させるステップは、前記動作しきい値を引下げることであると更に定義されることを特徴とする請求項１４に記載の方法。
【請求項１６】
前記電子デバイス（１４）を動作可能にするステップは、コンピュータを動作可能にすることであると更に定義されることを特徴とする請求項１５に記載の方法。
【請求項１７】
前記動作しきい値を変化させるステップは、キーボード（２６）及びマウス（２８）から前記コンピュータへの入力に応答して前記動作しきい値を引下げることであると更に定義されることを特徴とする請求項１６に記載の方法。
【請求項１８】
前記信号（１０、１０’）を検出するステップは、複数のアンテナ（１８、１８’）を用いて前記信号（１０、１０’）を検出するステップを含むことを特徴とする請求項１４に記載の方法。
【発明の詳細な説明】
【技術分野】
【０００１】
ユーザに電子デバイスへのアクセスを許可するために、トークンと電子デバイスとの間で伝送される信号の検出方法。
【背景技術】
【０００２】
電子デバイスへのアクセスに対するセキュリティを与える１つの方法は、ユーザに電子デバイスへのアクセスを許可するために、トークンと電子デバイスとの間で伝送される信号の検出を含む。この方法は、信号を放出するステップと、その信号をアンテナを用いて検出するステップと、アンテナにおいて検出された信号の強度を測定するステップとを含む。次いで、その信号と所定のしきい値とを比較し、ユーザが所定の距離以内にあるか否かを決定する。もしユーザが所定の距離以内にあれば、そのユーザはその電子デバイスへアクセスすることを許可される。もし信号の強度が所定のしきい値以下であれば、そのユーザはその電子デバイスへアクセスすることは許可されない。
【０００３】
このような方法の１つが、米国特許第5,821,854号に開示されており、パーソナルコンピュータにセキュリティを与えるようにしている。しかしながら、この方法に使用されているソフトウェアは、ユーザがコンピュータの付近で移動して作業することが原因で信号強度が所定のしきい値以下に低下すると、それに応答してコンピュータをロックしてしまうことが屡々である。もし所定のしきい値を引下げてユーザにより大きい可動性を与えれば、ユーザがコンピュータの直近にいなくても信号強度は所定のしきい値よりも大きくなって無許可のユーザがコンピュータへアクセスできるようになるので、コンピュータのセキュリティは低下する。
【０００４】
（発明の開示）
本発明は、ユーザに電子デバイスへのアクセスを許可するために、トークン即ちバッジと電子デバイスとの間に伝送される信号の検出方法を提供する。本方法は、データを含む信号を放出するステップと、複数のアンテナを用いてその信号を検出するステップと、複数のアンテナの各々において検出した信号の強度を測定するステップとを含む。本方法は、複数のアンテナの何れかにおいて検出された最大信号強度を検知し、その最大信号強度が動作しきい値より大きい場合に、それに応答して電子デバイスを動作可能にすることを特徴としている。
【０００５】
従って、本発明は、トークンと電子デバイスとの間の信号を検出した時にユーザにアクセスを与えるようにするため、なセキュリティを提供する。複数のアンテナは、ユーザが電子デバイス付近で移動して作業することによって検出され得る何等かの変動に打勝つような最大信号強度の検出を可能にする。更に、多重信号を検出することにより、電子デバイスは全ての検出された信号をログし、電子デバイスに対するユーザの位置を決定することができる。本方法は更に、ユーザが電子デバイスの直近にいない場合に、無許可のユーザによる電子デバイスへのアクセスを阻止するという付加的なセキュリティを提供する。
【０００６】
本発明の他の長所は、以下の添付図面に基づく詳細な説明から容易に理解されるであろう。
【発明を実施するための最良の形態】
【０００７】
添付図面を参照する。幾つかの添付図面においては、対応する部品には類似の番号を付してある。図１に示すフローチャートは、ユーザ１６に電子デバイス１４へのアクセスを許可するために、トークン１２、即ち内部に配置されたトランシーバを有するバッジと、電子デバイス１４との間の信号１０、１０’を検出する方法を示している。
【０００８】
本方法は、データを含む信号１０、１０’を放出するステップと、第１の複数のアンテナ１８、１８’を用いてその信号を検出するステップと、第１の複数のアンテナ１８、１８’の各々において検出した信号１０、１０’の強度を測定するステップとを含む。信号１０、１０’は、無線周波数（ＲＦ）として、または当分野においては公知の無線通信を可能にする等価信号として放出することが好ましい。図２に示す第１の実施の形態では、信号１０はトークン１２から放出される。図３に示す第２の実施の形態では、信号１０’は電子デバイス１４から放出される。信号１０、１０’は、十分なセキュリティを与え、且つユーザ１６に電子デバイス１４への継続的なアクセスを許可するのに必要とされるように、連続的に、または周期的に放出することができる。トークン１２は、指定された時間の間に送信し、所定の時間の間に送信を終了するようにプログラムすることができる。トークン１２は、バッジ、ページャ、またはユーザ１６が携帯する、または装着する他の何等かのポータブルユニットであることができる。
【０００９】
図２に示すトークン１２は、互いに平行に位置決めされている第２の複数のアンテナ１９を有しており、信号１０は、アンテナ１９の一方から、次いでアンテナ１９の他方から連続して放出される。図３においては、電子デバイス１４が互いに平行に位置決めされている第２の複数のアンテナ１９’を有しており、これらは、アンテナ１９’の一方から、次いでアンテナ１９’の他方から信号１０’を連続して放出する。
【００１０】
両実施の形態において、第１の複数のアンテナ１８、１８’は、アンテナ１８、１８’の一方が第１の方向に向き、アンテナ１８、１８’の他方が第２の方向に向くように互いに横方向に配向され、第１の方向及び第２の方向の一方が信号１０、１０’を検出するのに常により鋭敏である（即ち、信号方向がアンテナ１８、１８’を二等分する場合以外は）ようにしてある。電子デバイス１４はコンピュータであることが好ましいが、プリンタ、携帯電話、スキャナ、または他のどのような電子機器をも含むことができる。放出された信号１０、１０’は、複数のアンテナ１８、１８’によって検出される。アンテナ１８、１８’は、ＲＦ信号検出の分野においては公知のどのような型のアンテナであることもできる。更に、アンテナ１８、１８’は、信号１０、１０’を検出する確率を増大させるために円偏波にすることができる。
【００１１】
図２に示す第１の実施の形態では、以下に説明する方法を遂行するために、電子デバイス１４は、第１の測定デバイス２０、第１のアンテナスイッチ２２、及び第１のプロセッサ２４を有し、トークン１２は、第２のアンテナスイッチ２３、第２の測定デバイス２１、及び第２のプロセッサ２５を有している。図３に示す第２の実施の形態では、以下に説明する方法を遂行するために、トークン１２が第１の測定デバイス２０’、第１のアンテナスイッチ２２’、及び第１のプロセッサ２４’を有し、電子デバイス１４は、第２の測定デバイス２１’、第２のアンテナスイッチ２３’、及び第２のプロセッサ２５’を有している。トークン１２と電子デバイス１４との間において、本方法を一方向または双方向通信で実現できることを理解されたい。
【００１２】
信号１０、１０’がアンテナ１８、１８’によって検出された後に、信号１０、１０’は測定デバイス２０、２０’へ送られて検出された信号１０、１０’の強度が測定される。最も有望なのは、各アンテナ１８、１８’が信号強度差を検出することである。アンテナ１８、１８’の少なくとも一方が動作しきい値より大きい信号強度を受信していることを確認するために、アンテナスイッチ２２、２２’は、信号１０、１０’の強度を検出するのにどのアンテナ１８、１８’を測定するかを切替える。
【００１３】
本方法は、複数のアンテナ１８、１８’の何れかによって検出された信号１０、１０’の最大信号強度を検知し、最大信号強度が動作しきい値以下に低下することに応答して電子デバイス１４を動作不能にすることを特徴としている。最大信号強度を検知するアンテナ１８、１８’の一方が、デフォルトアンテナとして指定される。アンテナスイッチ２２、２２’は、初めはデフォルトアンテナに位置決めされている。信号１０、１０’を検出して信号１０、１０’の強度を測定するために、及びアンテナ１８、１８’の少なくとも一方が動作しきい値より大きい信号強度を検知していることを確認するために、アンテナ１８、１８’はアンテナスイッチ２２、２２’によって絶えず走査されている。デフォルトアンテナではないアンテナにおいて最大信号強度が検出されると、アンテナスイッチはそのアンテナを新しいデフォルトアンテナとして選択する。
【００１４】
最大信号強度が検知された後に、その強度は動作しきい値と比較される。もしアンテナ１８、１８’の何れかにおいて検出された信号１０、１０’が動作しきい値より大きければ、デフォルトアンテナにおいて検出された信号１０、１０’がプロセッサ２４、２４’へ伝送される。例えば、信号は、第１の、デフォルトアンテナ及び第２のアンテナにおいて検出される。信号強度が第１のアンテナ及び第２のアンテナにおいて測定され、第１のアンテナにおける信号強度が動作しきい値と比較される。もし第１のアンテナにおける信号強度がしきい値より大きければ、第１のアンテナにおいて検出された信号がプロセッサ２４、２４’へ伝送され、第１のアンテナがデフォルトアンテナとして留まる。もし第１のアンテナにおける信号強度が動作しきい値より小さければ、第２のアンテナにおける信号強度が動作しきい値と比較される。もし第２のアンテナにおける信号強度が動作しきい値より大きければ、第２のアンテナにおいて検出された信号がプロセッサ２４、２４’へ伝送され、第２のアンテナがデフォルトアンテナになる。たとえ第１のアンテナにおける信号強度が動作しきい値より大きくても、その後の検出のためのデフォルトアンテナを確立するために、第２のアンテナにおける信号強度がプロセッサ２４、２４’へ伝送される。もし第２のアンテナにおける信号強度が第１のアンテナにおいて検出された信号強度よりも強ければ、第２のアンテナがデフォルトアンテナになる。全てのアンテナ１８、１８’において測定された信号強度が動作しきい値以下に低下した場合には、電子デバイス１４は動作不能にされる。
【００１５】
プロセッサ２４、２４’は、信号１０、１０’のデータをユーザコードデータベースと比較する。もし信号１０、１０’のデータがユーザコードデータベース内のユーザコードと一致すれば電子デバイスは動作可能になり、ユーザ１６は電子デバイスへアクセスすることを許可される。もし信号１０、１０’がユーザコードと一致しなければ電子デバイス１４は動作不能にされ、ユーザ１６は電子デバイス１４にアクセスすることはできない。もしアンテナ１８、１８’の一方において検出された最大信号強度が動作しきい値より小さければ、電子デバイス１４は動作不能のままであり、ユーザ１６は電子デバイス１４にアクセスすることはできない。アンテナ１８、１８’は、電子デバイス１４の距離内にある複数のトークンからの信号を絶えず検出している。
【００１６】
プロセッサ２４、２４’は各トークン毎に、信号１０、１０’を検出した第１の複数のアンテナ１８、１８’の一方と、信号１０、１０’を放出した第２の複数のアンテナ１９、１９’の一方と、第１のアンテナ１８、１８’において検出された信号強度と、第２のアンテナ１８、１８’において検出された信号強度とを含む信号情報を受信する。例えば、もしアンテナ１８、１８’の何れかによって検出された信号強度が、複数のユーザ（各々がトークン１２を有している）のための動作しきい値より大きければ、各ユーザは電子デバイス１４へのアクセスを許可されることになろう。もし２人以上のユーザ１６が電子デバイス１４を動作させることを許可されれば、電子デバイス１４は、コンピュータにログインすることによって彼自身が識別される第１のユーザだけが操作することができる。これは、パスワードの入力、バイオメトリック、またはユーザのアイデンティティを確認するための公知の他の何等かの方法によって達成される。もし１人のユーザ１６だけが電子デバイス１４を使用することを許可されれば、そのユーザ１６は電子デバイス１４に対して彼自身を識別し、電子デバイス１４へはそのユーザ１６だけがアクセスできる。この間も複数のアンテナ１８、１８’は各ユーザ信号を検出しているが、プロセッサ２４、２４’はこれらの信号に応答しない。ユーザ１６が電子デバイス１４からログアウトするか、または彼の信号強度が動作しきい値より低下すると、プロセッサ２４、２４’は他のユーザ信号の検出に応答するようになる。プロセッサ２４、２４’は信号情報を調べ、何等かのユーザ信号が検出されなかったか否かを決定する。プロセッサ２４、２４’は信号情報のログをも維持し、どのトークン１２が動作空間内にあるか、及び信号１０、１０’が検出されない時間を決定する。
【００１７】
ユーザ１６が電子デバイス１４の周りで移動すると、信号１０、１０’の強度はユーザ１６の位置及びユーザ１６が向いている方向と共に変化し得る。信号１０、１０’の強度は、図２に示すようにユーザ１６が電子デバイス１４に背を向けている場合に、または信号１０、１０’がユーザ１６または他の何等かの物体によってブロックされている場合に低くなる。従って、ユーザ１６が許可された後に、または電子デバイス１４にアクセスする時に、これらの変動を斟酌するように動作しきい値を変化させることができる。動作しきい値の変化はセキュリティのレベルによって決定され、プロセッサ２４、２４’内へプログラムされる。例えば、動作しきい値は、検出された最大信号強度が動作しきい値よりも高い場合に、ユーザコードデータベース内のユーザコードと一致する信号１０、１０’に応答して引下げることができる。また動作しきい値は、ユーザ１６が電子デバイス１４に接続されている周辺装置を操作する時にも変化させることができる。一実施の形態では、動作しきい値は、ユーザ１６がキーボード２６またはマウス２８を操作した時に、コンピュータのために引下げることができる。
【００１８】
以上の説明から、本発明の多くの変更及び変化が可能であることは明白である。本発明は、特許請求の範囲（従来の技術の記述に続いて“…ことを特徴とする”の節に新規性が記載されている）の範囲内において、以上の説明とは異なって実現することができる。新規性は、“…ことを特徴とする”の節に特定的に、且つ明瞭に記載されており、一方、それに先行する記述は単に本発明が関連している古く、且つ公知の組合わせを述べているに過ぎない。これらの先行記述は、この刺激的な新規性がそのユーティリティを利用するような如何なる組合わせをもカバーするものと解釈すべきである。また、特許請求の範囲の参照番号は単に便宜のために記載したものであり、どのような制限をも意図するものではない。
【図面の簡単な説明】
【００１９】
【図１】ユーザに電子デバイスへのアクセスを許可するために、信号を検出する方法を示すフローチャートである。
【図２】ユーザが装着しているトークンの第１の実施の形態の斜視図であって、ユーザが電子デバイスに背を向けているために信号の強度が所定のしきい値より低くなり得ることを示している。
【図３】ユーザが装着しているトークンの第２の実施の形態の斜視図であって、ユーザは電子デバイスを操作しており、それによって信号が検出され、ユーザに電子デバイスへのアクセスを許可すことを示している。
【図１】
2006325232.tif 000003
【図２】
2006325232.tif 000004
【図３】
2006325232.tif 000005
【手続補正書】
【提出日】平成18年7月10日(2006.7.10)
【手続補正１】
【補正対象書類名】特許請求の範囲
【補正対象項目名】全文
【補正方法】変更
【補正の内容】
【特許請求の範囲】
【請求項１】
ユーザに電子デバイスへのアクセスを許可するために、トークンと前記電子デバイスとの間の信号を検出する方法において、
トークン（１２）及び電子デバイス（１４）の少なくとも一方から、データを含む信号（１０、１０’）を放出するステップと、
前記トークン（１２）及び前記電子デバイス（１４）の他方内に配置されている第１の複数のアンテナ（１８、１８’）の各々を用いて前記信号（１０、１０’）を検出するステップと、
前記第１の複数のアンテナ（１８、１８’）の各々において検出された前記信号（１０、１０’）の強度を、測定デバイス（２０、２０’）を用いて測定するステップと、 
前記第１の複数のアンテナ（１８、１８’）の何れかによって検出された最大信号強度を検知するステップと、
前記最大信号強度が動作しきい値より大きいことに応答して前記電子デバイス（１４）を動作可能にしてユーザがアクセスすることを可能にし、少なくとも１つのアンテナ（１８、１８’）が前記信号（１０、１０’）を検出し、且つ前記最大信号強度が前記動作しきい値より大きいことが測定されている限り、前記トークン（１２）と前記電子デバイス（１４）との間の相対運動に応答する信号強度の変動に打勝って前記動作可能を維持するステップとを含み、
前記測定ステップは、前記各アンテナにおける信号（１０、１０’）の強度を順次に測定するために前記第１の複数のアンテナ（１８、１８’）を走査するステップと、前記最大信号強度が測定されている前記アンテナをデフォルトアンテナとして分離するステップとを含み、
前記デフォルトアンテナを、その後に放出される前記信号（１０、１０’）を検出するための前記複数のアンテナ（１８、１８’）の第１のアンテナとし、
前記電子デバイス（１４）から前記信号（１０、１０’）を放出し、前記信号の強度を測定し、トークン（１２）によって前記最大信号強度を検知することとして更に定義されることを特徴とする方法。
【請求項２】
前記デフォルトアンテナにおいて検出された前記信号（１０、１０’）のデータをユーザコードデータベースと比較するステップと、ユーザ（１６）に前記電子デバイス（１４）へのアクセスを許可するために前記電子デバイス（１４）を動作可能にするステップとを含むことを更に特徴とする請求項１に記載の方法。
【請求項３】
前記信号（１０、１０’）のデータが前記ユーザコードデータベース内のユーザコードと一致することに応答して前記動作しきい値を変化させるステップを含むことを更に特徴とする請求項２に記載の方法。
【請求項４】
ユーザ（１６）による前記電子デバイス（１４）の操作に応答して前記動作しきい値を変化させるステップを含むことを更に特徴とする請求項３に記載の方法。 
【請求項５】
前記動作しきい値を変化させるステップは、前記動作しきい値を引下げることであると更に定義されることを特徴とする請求項３に記載の方法。
【請求項６】
前記動作しきい値を変化させるステップは、キーボード（２６）及びマウス（２８）の一方からコンピュータへの入力に応答して前記動作しきい値を引下げることであると更に定義されることを特徴とする請求項５に記載の方法。
【請求項７】
トークン（１２）から前記信号（１０、１０’）を放出し、前記信号の強度を測定し、前記電子デバイス（１４）によって前記最大信号強度を検知することとして更に定義される請求項１に記載の方法。
【請求項８】
前記第１の複数のアンテナ（１８、１８’）の一方は第１の方向に向けられ、前記第１の複数のアンテナ（１８、１８’）の他方は第２の方向に向けられており、前記第１の方向及び第２の方向の何れか一方が他の方向よりも前記信号（１０、１０’）を検出するのにより鋭敏であるように、前記第１の方向と前記第２の方向とを交差させてあることを更に特徴とする請求項１に記載の方法。
【請求項９】
前記信号（１０、１０’）を放出するステップは、前記第２の複数のアンテナ（１９、１９’）から前記信号（１０、１０’）を放出することであると更に定義されることを特徴とする請求項１に記載の方法。
【請求項１０】
前記第２の複数のアンテナ（１９、１９’）から前記信号（１０、１０’）を放出するステップは、前記信号（１０、１０’）を前記第２の複数のアンテナ（１９、１９’）の一方から、次いで前記第２の複数のアンテナ（１９、１９’）の他方から交互に放出することであると更に定義されることを特徴とする請求項９に記載の方法。
【請求項１１】
前記第２の複数のアンテナ（１９、１９’）から放出された各信号（１０、１０’）を順次に検出するステップと、前記第１の複数のアンテナ（１８、１８’）を用いて前記順次信号（１０、１０’）の強度を測定するステップを含むことを特徴とする請求項１０に記載の方法。
【請求項１２】
ユーザに電子デバイスへのアクセスを許可するために、トークンと電子デバイスとの間の信号を検出する方法において、
信号（１０、１０’）を放出するステップと、
少なくとも１つのアンテナを用いて前記信号（１０、１０’）を検出するステップと、
前記アンテナによって検出された前記信号（１０、１０’）の強度を測定するステップと、
前記信号（１０、１０’）の強度を、動作しきい値と比較するステップと、
前記信号強度が前記動作しきい値より大きいことに応答して電子デバイス（１４）を動作可能にし、ユーザがアクセスすることを可能にするステップと、
ユーザ（１６）が前記電子デバイス（１４）を操作することに応答して前記動作しきい値を変化させ、ユーザが前記電子デバイス（１４）を使用している限り前記電子デバイス（１４）を動作可能に維持するステップと、
ユーザが前記電子デバイス（１４）の使用を中止した時に、前記動作しきい値を変化させる前の値に戻すステップと、を含むことを特徴とする方法。
【請求項１３】
前記動作しきい値を変化させるステップは、前記動作しきい値を引下げることであると更に定義されることを特徴とする請求項１２に記載の方法。
【請求項１４】
前記電子デバイス（１４）を動作可能にするステップは、コンピュータを動作可能にすることであると更に定義されることを特徴とする請求項１３に記載の方法。
【請求項１５】
前記動作しきい値を変化させるステップは、キーボード（２６）及びマウス（２８）から前記コンピュータへの入力に応答して前記動作しきい値を引下げることであると更に定義されることを特徴とする請求項１４に記載の方法。
【請求項１６】
前記信号（１０、１０’）を検出するステップは、複数のアンテナ（１８、１８’）を用いて前記信号（１０、１０’）を検出するステップを含むことを特徴とする請求項１２に記載の方法。
【外国語明細書】
2006325232.tif 000006
2006325232.tif 000007
2006325232.tif 000008
2006325232.tif 000009
2006325232.tif 000010
2006325232.tif 000011
2006325232.tif 000012
2006325232.tif 000013
2006325232.tif 000014
2006325232.tif 000015
2006325232.tif 000016
2006325232.tif 000017
2006325232.tif 000018
2006325232.tif 000019
2006325232.tif 000020